(57)【特許請求の範囲】
【請求項１】
砲身(1)を有する砲架(2)に回転自在に設けられ複数の薬室(3)を有する薬室ドラム(4)を用い、前記薬室(3)に装填され弾丸(11)と内筒(10)及び外筒(9)からなる薬莢(8A)よりなる弾薬(8)の装薬(13,14)を点火して前記砲身(1)から弾丸(11)を発射する場合、前記弾丸発射時に前記装薬(13,14)を点火することにより発生したガスの圧力(P)を用いて前記薬莢(8A)に設けられたシール部材(12)を前記砲身(1)に押圧させ、前記薬室(3)と砲身(1)間の隙間を塞ぐようにする機関砲の薬室シール方法において、
前記外筒(9)の両端に設けられ互いに内方へ突出する一対の輪状突起(9A,9Aa)と、前記各輪状突起(9A,9Aa)の内周側に位置する前記内筒(10)の両端に設けられ前記各輪状突起(9A,9Aa)の内端(9D,9E)よりも内方に位置する一対の止めリング(9B,9C)と、前記内筒(10)の後端(10a)と前記外筒(9)の後部(9a)の内側凹部(9F)との間に形成された間隙(9G)とを用い、前記シール部材(12)は前記内筒(10)の前端(10b)と前記砲身(1)との間に位置し、
前記ガスの圧力(P)が前記内筒(10)の後端(10a)にかかり、前記内筒(10)が前記前端(10b)側へ押圧され、前記シール部材(12)を前記砲身(1)側へ押圧することを特徴とする機関砲の薬室シール方法。
【請求項２】
弾丸(11)及び内側装薬(14)を有する内筒(10)と、前記内筒(10)を保持し前記内筒(10)の外周に外側装薬(13)を有する外筒(9)と、からなる薬莢(8A)よりなり、前記薬莢(8A)の前端側にはシール部材(12)が設けられた構成よりなり、砲身(1)を有する砲架(2)に回転自在に設けられた薬室ドラム(4)の複数の薬室(3)に装填される機関砲用シール付弾薬において、
前記外筒(9)の両端に設けられ互いに内方へ突出する一対の輪状突起(9A,9Aa)と、前記各輪状突起(9A,9Aa)の内周側に位置する前記内筒(10)の両端に設けられ前記各輪状突起(9A,9Aa)の内端(9D,9E)よりも内方に位置する一対の止めリング(9B,9C)と、前記内筒(10)の後端(10a)と前記外筒(9)の後部(9a)の内側凹部(9F)との間に形成された間隙(9G)とを備え、前記シール部材(12)は前記内筒(10)の前端(10b)と前記砲身(1)との間に位置し、前記ガスの圧力(P)が前記内筒(10)の後端(10a)にかかり、前記内筒(10)が前記前端(10b)側へ押圧され、前記シール部材(12)を前記砲身(1)側へ押圧するように構成したことを特徴とする機関砲用シール付弾薬。
【発明の詳細な説明】
【０００１】
【発明の属する技術分野】
本発明は、機関砲の薬室シール方法及び機関砲用シール付弾薬に関し、特に、弾薬側に設けたシール部材により薬室と砲身間の隙間のシールを簡単かつ確実に行うための新規な改良に関する。
【０００２】
【従来の技術】
従来、回転薬室形機関砲の回転薬室と砲身の間のシールについては種々考えられて実施されてきた。
一般に、回転薬室形機関砲においては、砲身を固定して、薬室を回転させる関係で薬室前部と砲身の後端面には、隙間が存在する。このため、弾丸がこの隙間を通過した後、弾丸の後部に作用する高温で高圧の発射ガスは、この隙間から外部に噴出し、機材の破壊、人員への危害ならびに初速の低下等の害を発生する。これを防ぐためのシール方法として、図示していないが、次のような対策がとられてきた。
(1)  ガスリング方式・・・（薬室ドラム側に設置するもの）
薬室の前部に、その前後方向において動けるようにガスリングを保持し、弾丸がこれを通過すると、弾丸に作用する発射ガスは、ガスリングに作用して砲身の後端面に押付けることでシール効果を得るようにした。
(2)  ガスケット方式・・・（薬室ドラム側に設置するもの）
薬室前面の砲身の後端面に相応するところにガスケットを配置し、発射時にカム等の機械的な力で薬室を前進させてガスケットを砲身の後端面に押付けることによってシール効果を得るようにしていた。
【０００３】
【発明が解決しようとする課題】
従来のシール方法は、以上のように構成されているため、次のような課題が存在していた。
(1)  ガスリング方式の場合：
まず、ガスリングに応じた薬室ドラムの肉厚が必要となるため、薬室ドラムの外径、重量及び慣性モーメントが大きくなる。このため、薬室ドラムの割出し（インデックス機構）に要するトルク及び力が大きくなり、機関砲が大形化し、重量も大になっていた。
また、ガスリングに作用するガス圧は後方への力となり、これを支える砲架を強固な構造とし、強度を増す必要がある。そのため、機関砲は当然重くなって、実用上、問題があった。
さらに、ガスリングは、ガス圧で砲身の後端面にたたき付けられるが、これを繰り返すと、ガスリングの破損変形が起こるので寿命が短くなり、信頼性が低いものとなっていた。
(2)  ガスケット方式の場合：
まず、ガスケットを砲身に押付けるため、薬室ドラムを軸方向において前後に移動させるレシプロ運動を与えるための機構が必要となる。また、高圧のガスをシールするためには、強力に薬室を砲身に押付ける必要があるので、この機構が大形化して重くなり、強力なものが必要となる。
また、次の弾の射撃に薬室ドラムを回転させるには、前記押付力を解除して、薬室ドラムを後退させた後に行うことになるため、薬室ドラムの割り出しに許される時間が短くなるので、割り出しに要するトルクは大きいものが必要となる。このトルクのみをむやみに増やすことには限度があるので、ある限度に押さえなければならないが、押さえることによって発射速度が低下することになっていた。
さらに、ガスケットは砲身への押付けの繰り返しとなるため傷がつき易く、シール性が次第に減少して、寿命が短くなっていた。
【０００４】
本発明は、以上のような課題を解決するためになされたもので、特に、弾薬側に設けたシール部材により薬室と砲身間の隙間のシールを簡単かつ確実に行うようにした機関砲の薬室シール方法及び機関砲用シール付弾薬を提供することを目的とする。
【０００５】
【課題を解決するための手段】
本発明による機関砲の薬室シール方法は、砲身を有する砲架に回転自在に設けられ複数の薬室を有する薬室ドラムを用い、前記薬室に装填され弾丸と内筒及び外筒からなる薬莢よりなる弾薬の装薬を点火して前記砲身から弾丸を発射する場合、前記弾丸発射時に前記装薬を点火することにより発生したガスの圧力を用いて前記薬莢に設けられたシール部材を前記砲身に押圧させ、前記薬室と砲身間の隙間を塞ぐようにする機関砲の薬室シール方法において、前記外筒の両端に設けられ互いに内方へ突出する一対の輪状突起と、前記各輪状突起の内周側に位置する前記内筒の両端に設けられ前記各輪状突起の内端よりも内方に位置する一対の止めリングと、前記内筒の後端と前記外筒の後部の内側凹部との間に形成された間隙とを用い、前記シール部材は前記内筒の前端と前記砲身との間に位置し、前記ガスのが前記内筒の後端にかかり、前記内筒が前記前端側へ押圧され、前記シール部材を前記砲身側へ押圧する方法であり、また、本発明による機関砲用シール付弾薬は、弾丸及び内側装薬を有する内筒と、前記内筒を保持し前記内筒の外周に外側装薬を有する外筒と、からなる薬莢よりなり、前記薬莢の前端側にはシール部材が設けられた構成よりなり、砲身を有する砲架に回転自在に設けられた薬室ドラムの複数の薬室に装填される機関砲用シール付弾薬において、前記外筒の両端に設けられ互いに内方へ突出する一対の輪状突起と、前記各輪状突起の内周側に位置する前記内筒の両端に設けられ前記各輪状突起の内端よりも内方に位置する一対の止めリングと、前記内筒の後端と前記外筒の後部の内側凹部との間に形成された間隙とを備え、前記シール部材は前記内筒の前端と前記砲身との間に位置し、前記ガスの圧力が前記内筒の後端にかかり、前記内筒が前記前端側へ押圧され、前記シール部材を前記砲身側へ押圧するようにした構成である。
【０００６】
【発明の実施の形態】
以下、図面と共に本発明による機関砲の薬室シール方法及び機関砲用シール付弾薬の好適な実施の形態について述べる。
図１及び図２において符号１で示されるものは砲架２に固定して設けられた砲身であり、この砲架２の保持空間２ａ内には、複数の薬室３を有する薬室ドラム４が軸部４ａを介して回転自在に設けられ、図示しない周知の位置決め機構によって各薬室３が砲身１と対応した位置で薬室ドラム４が位置決めできるように構成されている。また、この薬室３には周知の装填部７から弾薬８を装填でき、薬室ドラム４は周知のロック部６によって前述の所定の位置決め位置においてロックできるように構成されていると共に、このロックされた状態で撃発機構５により前記薬室３内に装填された弾薬８を発火させ、後述の弾丸１１を砲身１を介して外部に発射することができるように構成されている。
【０００７】
前記薬室３及び弾薬８は、具体的には図３で示すように構成されている。すなわち、弾薬８は、互いに同軸配置され弾丸１１を有する内筒１０と外筒９とからなり、この内筒１０内には内側装薬１４が設けられていると共に、複数の連通孔１５が形成され、この連通孔１５を介して内筒１０と外筒９は互いに連通している。前記外筒９内には外側装薬１３が設けられており、この内筒１０と外筒９により薬莢８Ａを構成し、この薬莢８Ａ、各装薬１３，１４及び弾丸１１とにより前記弾薬８を構成している。
【０００８】
前記薬莢８の内筒１０の前端１０ｂ側には輪状をなすと共に金属又は耐熱樹脂等からなるシール部材１２が配設されており、このシール部材１２は内筒１０の前端１０ｂと砲身１との間に位置している。
【０００９】
前記内筒１０は外筒９の両端に互いに内方へ向けて突出して形成された１対の輪状突起９Ａ，９Ａａの内周側に軸方向移動可能に配設されている。前記内筒１０の両端における周面には前記各輪状突起９Ａ，９Ａａの内端９Ｄ，９Ｅよりも内方に位置する１対の止めリング９Ｂ，９Ｃが設けられており、各止めリング９Ｂ，９Ｃは各輪状突起９Ａの内端９Ｄ，９Ｅに当接するように構成され、各止めリング９Ｂ，９Ｃにより前記内筒１０の軸方向の移動量Ｓが制限されている。
尚、前記内筒１０の後端１０ａと前記外筒９の後部９ａの内側に形成された内側凹部９Ｆとの間に形成された間隙９Ｇにガスの圧力がかかるように構成されている。
【００１０】
次に、動作について述べる。前記撃発機構５によって内側装薬１４に点火させると、連通孔１５を介して外側装薬１３が点火し、この点火により発生した高圧のガスの圧により弾丸１１が発射される。この場合、ガスの圧力を受けやすくするために、外筒９よりも厚く形成された内筒１０の後端１０ａにガス圧がかかり、この内筒１０が前端１０ｂ側に押圧され、シール部材１２が砲身１側へ押圧されて薬室３と砲身１間の隙間がシールされる。
【００１１】
【発明の効果】
本発明による機関砲の薬室シール方法及びシール付弾薬は、以上のように構成されているため、次のような効果を得ることができる。すなわち、薬莢の内筒の前端と砲身との間に設けた使い捨てタイプのシールを用いているため、機関砲自体には付属の機構が不要となり、従来のような機関砲の大きさ、重さ、機構の複雑化を避けることができ、この種の機関砲を従来よりも大幅に小形、軽量化することができる。
【図面の簡単な説明】
【図１】  本発明による機関砲を示す図２のＢ−Ｂ断面図である。
【図２】  図１のＡ−Ａ断面図である。
【図３】  図１の要部の拡大詳細断面図である。
【図４】  図３の要部の拡大断面図である。
【符号の説明】
１    砲身
２    砲架
３    薬室
４    薬室ドラム
５    撃発機構
６    ロック部
７    装填部
８    弾薬
８Ａ  薬莢
９    外筒
９ａ 後部
９Ａ，９Ａａ 輪状突起
９Ｂ，９Ｃ 止めリング
９Ｄ 内端
９Ｅ 内端
９Ｆ 内側凹部
９Ｇ 間隙
１０  内筒
１０ａ 後端
１０ｂ 前端
１１  弾丸
１２  シール部
１３  外側装薬
１４  内側装薬
１５  連通孔
１６  内筒孔
【図１】
0003755842.tif 000002
【図２】
0003755842.tif 000003
【図３】
0003755842.tif 000004
【図４】
0003755842.tif 000005